(57)【要約】【課題】簡略な構造で外部からの異物の侵入抑制を適正に図る。【解決手段】ケース内から延出されミシンに接続されるケーブルＣが挿通される挿通開口部１１０を有する制御装置ケース１０１である。挿通開口部１１０は、ケーブルＣを挿通の際に屈曲させて案内する屈曲案内部２３を備える。【選択図】図１
2005111158.tif 000002
【特許請求の範囲】
【請求項１】
ケース内から延出されミシンに接続されるケーブルが挿通される挿通開口部を有する制御装置ケースであって、
前記挿通開口部は、前記ケーブルを挿通の際に屈曲させて案内する屈曲案内部を備えることを特徴とする制御装置ケース。
【請求項２】
一部が開口して形成されたケース本体と、前記ケース本体の開口側を覆うように取り付けられるカバー部材と、を備え、
前記ケース本体に前記カバー部材が取り付けられることにより、前記カバー部材の前記ケース本体側の縁部と前記ケース本体の開口側の縁部との間に離間部が形成され、
前記離間部に前記挿通開口部が設けられていることを特徴とする請求項１に記載の制御装置ケース。
【請求項３】
前記屈曲案内部は、前記カバー部材に設けられていることを特徴とする請求項２に記載の制御装置ケース。
【請求項４】
前記屈曲案内部は、前記カバー部材に一体となって成形されてなることを特徴とする請求項２又は３に記載の制御装置ケース。
【請求項５】
前記ケース本体は、当該制御装置ケースの前面側に開口し、
前記屈曲案内部は、前記カバー部材の前記ケース本体側の縁部の一部が前記ケース本体の開口側の縁部よりも当該制御装置ケース外方に膨らんで形成され、
前記挿通開口部の前記ミシン側の開口端部は、当該制御装置ケースの後面側に面するようになっていることを特徴とする請求項３又は４に記載の制御装置ケース。
【請求項６】
前記ケース本体には、前記挿通開口部の前記ミシン側の前記開口端部と対向する開口対向部が設けられていることを特徴とする請求項５に記載の制御装置ケース。
【発明の詳細な説明】
【技術分野】
【０００１】
本発明は、制御装置ケースに関する。
【背景技術】
【０００２】
従来より、工業的に縫製を行うミシン等の縫製に関わる動作の駆動を制御する制御装置が知られており、この制御装置は、所定のケーブルを介してミシンと接続されている。具体的には、制御装置の所定の回路基板等を収納する装置ケースに所定の開口部を設け、この開口部からケーブルの一端部を接続可能なコネクタを露出させている（例えば、特許文献１参照。）。
【特許文献１】特開昭５９−２００６９２号公報
【発明の開示】
【発明が解決しようとする課題】
【０００３】
しかしながら、上記特許文献１等のように開口部からコネクタが露出されていると、コネクタ等に作業工具や作業者等が接触し易く、この場合には、装置の動作に不具合が発生してしまうといった問題がある。
【０００４】
また、装置ケース内にコネクタを配設するとともに、装置ケースにケーブルを挿通させる開口部が設けられた制御装置も知られている。このような制御装置にあっては、作業工具等の侵入抑制を図る上で、ケーブルの本数や太さ等に応じて開口部の開口量を調整可能とするため、内径の異なるゴムブッシュを複数種類準備して選択使用する構成のものも知られている。しかしながら、ドライバー等の比較的細い径の工具は、開口部とケーブルとの間、或いは、ケーブルどうしの間に生じた隙間から侵入し易く、作業工具等の侵入抑制を適正に行うことが困難となっている。さらに、ゴムブッシュを具備すると、装置構成が複雑となってしまうといった問題もある。
【０００５】
本発明の課題は、簡略な構造で外部からの異物の侵入抑制を適正に図ることができる制御装置ケースを提供することである。
【課題を解決するための手段】
【０００６】
上記課題を解決するため、請求項１に記載の発明は、例えば、図１及び図２に示すように、ケース内から延出されミシンに接続されるケーブル（Ｃ）が挿通される挿通開口部（１１０）を有する制御装置ケース（１０１）であって、
前記挿通開口部は、前記ケーブルを挿通の際に屈曲させて案内する屈曲案内部（２３）を備えることを特徴としている。
【０００７】
請求項２に記載の発明は、例えば、図１及び図２に示すように、請求項１に記載の制御装置ケースにおいて、
一部が開口して形成されたケース本体（１）と、前記ケース本体の開口側を覆うように取り付けられるカバー部材（２）と、を備え、
前記ケース本体に前記カバー部材が取り付けられることにより、前記カバー部材の前記ケース本体側の縁部と前記ケース本体の開口側の縁部との間に離間部（３）が形成され、
前記離間部に前記挿通開口部が設けられていることを特徴としている。
【０００８】
請求項３に記載の発明は、例えば、図１等に示すように、請求項２に記載の制御装置ケースにおいて、
前記屈曲案内部は、前記カバー部材に設けられていることを特徴としている。
【０００９】
請求項４に記載の発明は、例えば、図２等に示すように、請求項２又は３に記載の制御装置ケースにおいて、
前記屈曲案内部は、前記カバー部材に一体となって成形されてなることを特徴としている。
【００１０】
請求項５に記載の発明は、例えば、図２等に示すように、請求項３又は４に記載の制御装置ケースにおいて、
前記ケース本体は、当該制御装置ケースの前面側に開口し、
前記屈曲案内部は、前記カバー部材の前記ケース本体側の縁部の一部が前記ケース本体の開口側の縁部よりも当該制御装置ケース外方に膨らんで形成され、
前記挿通開口部の前記ミシン側の開口端部（１１１）は、当該制御装置ケースの後面側に面するようになっていることを特徴としている。
【００１１】
請求項６に記載の発明は、例えば、図２等に示すように、請求項５に記載の制御装置ケースにおいて、
前記ケース本体には、前記挿通開口部の前記ミシン側の前記開口端部と対向する開口対向部（例えば、収納ケース１２等）が設けられていることを特徴としている。
【発明の効果】
【００１２】
請求項１に記載の発明によれば、ケース内から延出されミシンに接続されるケーブルが挿通される挿通開口部は、ケーブルを挿通の際に屈曲させて案内する屈曲案内部を備えているので、屈曲案内部により挿通開口部を介した制御装置ケース内に対する外部からの異物の侵入を適正に抑制することができる。つまり、挿通開口部の断面の開口面積に比べてケーブルの断面積を加算した値が小さくなる場合、即ち、ケーブルと挿通開口部の内面とに隙間ができ異物の侵入が生じやすい状態となった場合であっても、屈曲案内部により異物が直接侵入してくることを抑制することができる。従って、異物の侵入抑制を図る上で、従来のように挿通開口部の開口の寸法を調整する装置が必要なくなり、ケーブルの本数や太さ等に関わらず簡略な構造で外部からの異物の侵入を適正に抑制することができる。
【００１３】
請求項２に記載の発明によれば、ケーブルの屈曲がケース本体の開口部をカバー部材で覆うことにより行われ、ケース本体の開口部からカバー部材を開放すればケーブルの屈曲とともに拘束も開放されるので、カバー部材及びケース本体の何れか一方にケーブルを屈曲させて通過させる挿通穴を設けて挿通開口部を形成した場合と比較して、ミシン本体と制御装置の一方を交換するなどの場合におけるケーブルの取り外しを容易に行うことができるようにすることができる。
【００１４】
請求項３に記載の発明によれば、屈曲案内部は、カバー部材に設けられているので、請求項２に記載の発明と同様の効果を得ることができるとともに、制御装置ケースを複数種類のミシン機種に対して共用する場合に、挿通開口部に挿通されるケーブルの本数や太さなどがミシン機種毎に異なるため、ミシン機種に対応させて挿通開口部の形状や大きさを複数種類準備する必要があるが、屈曲案内部がカバー部材に設けられているため屈曲案内部の形状の異なるカバー部材を複数準備しておけば、カバー部材に比較して大型で且つ高コストのケース本体を複数種類準備する必要がなく、制御装置ケースの管理を容易にすることができるとともに、コストを低減することができる。
【００１５】
請求項４に記載の発明によれば、カバー部材の形成の際に、このカバー部材に一体として屈曲案内部を簡便に形成することができる。
【００１６】
請求項５に記載の発明によれば、請求項３又は４に記載の発明と同様の効果が得られるのは無論のこと、特に、屈曲案内部は、カバー部材のケース本体側の縁部の一部がケース本体の開口側の縁部よりも当該制御装置ケース外方に膨らんで形成され、挿通開口部のミシン側の開口端部は、当該制御装置ケースの後面側に面するようになっているので、制御装置ケースの前面側からの異物の侵入を適正に抑制することができる。即ち、例えば制御装置ケースの前面側がミシンの作業者側となる場合に、挿通開口部が作業者側と反対側に向かって開口した状態となるため、作業者側からの異物の侵入を適正に抑制することができる。このとき、屈曲案内部により当該制御装置ケース内から延出されるケーブルは、制御装置ケースの後面側、即ち、作業者側と反対側に案内されることとなるので、ケース内から延出されたケーブルが作業者にとって邪魔になり難くなる。
【００１７】
請求項６に記載の発明によれば、開口対向部によってケース本体の開口側と反対側からの異物の侵入抑制を図ることができる。
【発明を実施するための最良の形態】
【００１８】
以下に、本発明について、図面を用いて具体的な態様を説明する。ただし、発明の範囲は、図示例に限定されない。
ここで、図１は、本発明を適用した好適な実施の形態として例示する制御装置ケースを示す斜視図であり、図２は、図１のII−II線における制御装置ケースの部分断面図である。
【００１９】
図１及び図２に示すように、例えば工業用ミシン（図示略）の縫製に関わる動作の駆動を制御する制御装置１００は、所定数（例えば、３本）のケーブルＣを介して工業用ミシンと接続されており、ケーブルＣの一端が接続されるコネクタ（図示略）を有する所定の回路基板Ｋが制御装置ケース１０１内に収納されている。
【００２０】
制御装置ケース１０１は、外形が略直方体状に形成された部材であり、ミシンの作業者側（矢印Ｂで示す。）となる面に制御装置１００の動作の指示に係る操作部２１が設けられ、作業者側の面に直交する一面１０１ａ（図１における左側面）にケーブルＣが挿通される挿通開口部１１０が形成されている。
なお、以下の説明では、ミシンの作業者側から制御装置ケース１０１に向かう方向を当該制御装置ケース１０１の前後方向Ａとし、操作部２１側を当該制御装置ケース１０１の前面側とし、操作部２１と反対側を制御装置ケース１０１の後面側とする。
【００２１】
制御装置ケース１０１は、前後方向Ａにおける断面が略矩形状に形成されるとともに作業者側が開口して形成された箱型のケース本体１と、このケース本体１に当該ケース本体１の開口側を覆うように取り付けられたカバー部材２とを備えて構成されている。
【００２２】
ケース本体１の作業者側から向かって左側面（図１における手前側の側面）１１には、ミシンの操作ペダル（図示略）の操作位置を検出するペダルセンサ（図示略）を収納する収納ケース１２が設けられている。この収納ケース１２は、挿通開口部１１０のミシン側の開口端部１１１と対向する開口対向部を構成している。
【００２３】
カバー部材２は、ケース本体１の開口部に略沿うような形状の開口を有する箱型に形成されており、操作部２１が作業者側の面に設けられている。
カバー部材２の作業者側から向かって左側面（図１における手前側の側面）２２には、この左側面２２のケース本体１側の縁部の略中央となる部分（一部）が、ケース本体１の左側面１１の開口側の縁部よりも当該制御装置ケース１０１外方に膨らんだ膨出部２３１が形成されている。この膨出部２３１の先端部２３１ａは、ケース本体１の開口側の端部の前後方向Ａにおける位置と略等しくなる位置まで、作業者側と反対側（ケース本体１の開口側と反対側）に延出されている。
なお、膨出部２３１の先端部２３１ａの高さ（図２における上下方向の位置）は、収納ケース１２の前後方向Ａにおける手前側の面部１２ａの高さよりもわずかに低くなっている。
この膨出部２３１によって、カバー部材２に一体となって成形され、挿通開口部１１０に挿通されるケーブルＣを屈曲させてミシン側及び当該制御装置ケース１０１内に案内する屈曲案内部２３が構成されている。
なお、屈曲案内部２３の形状及び寸法等は、例えば、制御装置ケース１０１の寸法やケーブルＣの寸法及び本数等に応じて適宜に設計変更される。
【００２４】
上記構成の屈曲案内部２３１を有するカバー部材２がケース本体１に取り付けられることによって、ケース本体１の左側面１１の開口側の端部とカバー部材２の屈曲案内部２３の膨出部２３１の先端部２３１ａとの間に所定の間隔を有する離間部３が形成され、この離間部３により挿通開口部１１０が形成される。これにより、挿通開口部１１０のミシン側の開口端部１１１は、当該制御装置ケース１０１の後面側に面するようになっている。
【００２５】
以上のように、本実施の形態の制御装置ケース１０１によれば、ケース内から延出されミシンに接続されるケーブルＣが挿通される挿通開口部１１０は、ケーブルＣを挿通の際に屈曲させて案内する屈曲案内部２３を備えている。
具体的には、屈曲案内部２３は、カバー部材２の左側面２２のケース本体１側の縁部の略中央部分がケース本体１の左側面１１の作業者側の縁部よりも当該制御装置ケース１０１外方に膨らんで形成され、挿通開口部１１０のミシン側の開口端部１１１は、当該制御装置ケース１０１の後面側に面するようになっているので、制御装置ケース１０１の前面側、即ち、作業者側からの異物の侵入を適正に抑制することができる。また、屈曲案内部２３により当該制御装置ケース１０１内から延出されるケーブルＣは作業者側と反対側に案内されることとなるので、ケース内から延出されたケーブルＣの見た目も良く、且つ、ケーブルＣが作業者にとって邪魔になり難くなる。
また、挿通開口部１１０のミシン側の開口端部１１１と対向させて収納ケース１２が設けられているので、この収納ケース１２によって当該制御装置ケース１０１の作業者側と反対側からの異物の侵入抑制を図ることができる。
このように、例えば、挿通開口部１１０の断面の開口面積に比べてケーブルＣの断面積を加算した値が小さくなる場合、即ち、オプションが搭載されていない標準状態のようにケーブルＣの本数が少なくケーブルＣと挿通開口部１１０の内面とに隙間ができ異物の侵入が生じやすい状態となった場合であっても、屈曲案内部２３により異物が直接侵入してくることを抑制することができる。従って、異物の侵入抑制を図る上で、従来のように挿通開口部１１０の開口の寸法を調整する装置が必要なくなり、ケーブルＣの本数や太さ等に関わらず簡略な構造で外部からの異物の侵入を適正に抑制することができる。これにより、制御装置１００の動作に不具合が生じることを防止することができる。
【００２６】
また、ケーブルＣの屈曲がケース本体１の開口側をカバー部材２で覆うことにより行われ、ケース本体１からカバー部材２を開放すればケーブルＣの屈曲とともに拘束も開放されるので、カバー部材２及びケース本体１の何れか一方にケーブルＣを屈曲させて通過させる挿通穴を設けて挿通開口部を形成した場合と比較して、ミシンと制御装置１００の一方を交換するなどの場合におけるケーブルＣの取り外しを容易に行うことができるようにすることができる。
さらに、屈曲案内部２３は、カバー部材２に一体となって成形されているので、カバー部材２の形成の際に、カバー部材２に一体として屈曲案内部２３を簡便に形成することができる。また、制御装置ケース１０１を複数種類のミシン機種に対して共用する場合に、挿通開口部１１０に挿通されるケーブルＣの本数や太さなどがミシン機種毎に異なるため、ミシン機種に対応させて挿通開口部１１０の形状や大きさを複数種類準備する必要があるが、屈曲案内部１１０がカバー部材に設けられているため屈曲案内部２３の形状の異なるカバー部材２を複数準備しておけば、カバー部材２に比較して大型で且つ高コストのケース本体１を複数種類準備する必要がなく、制御装置ケース１０１の管理を容易にすることができるとともに、コストを低減することができる。
【００２７】
＜変形例＞
上記実施の形態では、屈曲案内部２３として、ケース本体１の左側面１１の開口側の縁部よりも当該制御装置ケース１０１外方に膨らむ形状に形成されたものを例示したが、これに限られるものではない。即ち、例えば、図３に示すように、カバー部材２のケース本体１側の縁部がケース本体１の開口側の縁部よりも当該制御装置ケース１０１内方に膨らむ形状に形成された屈曲案内部１２３であっても良い。また、この際、開口端部１１１と対応させて、開口対向部として作用する部材１２ｂを設けるとより効果的である。
【００２８】
なお、本発明は、上記実施の形態に限定されることなく、本発明の趣旨を逸脱しない範囲において、種々の改良並びに設計の変更を行っても良い。
例えば、屈曲案内部２３（１２３）をカバー部材２に一体となって成形するような構成としたが、これに限られるものではなく、屈曲案内部２３を別部材で設けても良いし、また、ケース本体１に設けるような構成であっても良い。
また、上記実施の形態では、開口対向部として、ペダルセンサを収納する収納ケース１２を例示したが、これに限られるものではなく、挿通開口部１１０のミシン側の開口端部１１１と対向するものであれば如何なるものであっても良い。
【図面の簡単な説明】
【００２９】
【図１】本発明を適用した好適な実施の形態として例示する制御装置ケースを示す斜視図である。
【図２】図１のII−II線における制御装置ケースの部分断面図である。
【図３】制御装置ケースの変形例を模式的に示した部分断面図である。
【符号の説明】
【００３０】
１００    制御装置
１０１    制御装置ケース
１１０    開口挿通部
１１１    開口端部
１        ケース本体
１２      収納ケース（開口対向部）
２        カバー部材
２３      屈曲案内部
Ｃ        ケーブル
【図１】
2005111158.tif 000003
【図２】
2005111158.tif 000004
【図３】
2005111158.tif 000005